(57)【要約】【課題】通信リンクの有無の判定を簡単にするレセプタクルコネクターを提供する。【解決手段】レセプタクルコネクター１は、プラグ４１が差し込まれる差込口６１を有するレセプタクル６と、差込口６１を開閉し、プラグ４１が差込口６１に差し込まれる間、プラグ４１により開いた状態を維持する蓋７と、蓋７の開閉に応じて切り替わるスイッチ８とを備える。【選択図】図２
2020095893.tif 000002
【特許請求の範囲】
【請求項１】
ＨＤＢａｓｅＴ規格に準拠するレセプタクルコネクターであって、
プラグが差し込まれる差込口を有するレセプタクルと、
前記差込口を開閉し、前記プラグが前記差込口に差し込まれる間、前記プラグにより開いた状態を維持する蓋と、
前記蓋の開閉に応じて切り替わるスイッチと
を備えることを特徴とするレセプタクルコネクター。
【請求項２】
前記蓋が閉じるように前記蓋に力を加えるばねを更に備えることを特徴とする請求項１に記載のレセプタクルコネクター。
【請求項３】
前記蓋は、前記プラグが差し込まれる方向に直交する中心軸を有する円柱の側面に沿って湾曲する表面を有し、前記中心軸の回りに回転することにより、前記差込口を開閉することを特徴とする請求項１又は２に記載のレセプタクルコネクター。
【請求項４】
前記蓋の最も閉じた状態は、半開き状態であることを特徴とする請求項１乃至３の何れか１項に記載のレセプタクルコネクター。
【発明の詳細な説明】
【技術分野】
【０００１】
本発明は、レセプタクルコネクターに関する。
【背景技術】
【０００２】
特許文献１は、ＨＤＢａｓｅＴ（登録商標）規格の信号によりイーサーネットケーブルを介して通信機器と通信するプロジェクターを開示する。特許文献２は、基地局との通信が切断された場合に、通信部への電源供給を停止する中継装置を開示する。
【先行技術文献】
【特許文献】
【０００３】
【特許文献１】特開２０１８−９１９２０号公報
【特許文献２】特開２０１２−８４９５１号公報
【発明の概要】
【発明が解決しようとする課題】
【０００４】
ＨＤＢａｓｅＴ規格の技術において、機器間の通信リンクの有無を判定する場合、機器内の処理装置が通信データにより判定していた。このため、相手機器の状態によって通信リンクの有無の判定が困難である場合があった。
【課題を解決するための手段】
【０００５】
本発明の一態様に係るレセプタクルコネクターは、ＨＤＢａｓｅＴ規格に準拠するレセプタクルコネクターであって、プラグが差し込まれる差込口を有するレセプタクルと、前記差込口を開閉し、前記プラグが前記差込口に差し込まれる間、前記プラグにより開いた状態を維持する蓋と、前記蓋の開閉に応じて切り替わるスイッチとを備える。
【０００６】
上述の態様において、レセプタクルコネクターは、前記蓋が閉じるように前記蓋に力を加えるばねを更に備えてもよい。
【０００７】
上述の態様において、前記蓋は、前記プラグが差し込まれる方向に直交する中心軸を有する円柱の側面に沿って湾曲する表面を有し、前記中心軸の回りに回転することにより、前記差込口を開閉してもよい。
【０００８】
上述の態様において、前記蓋の最も閉じた状態は、半開き状態であってもよい。
【図面の簡単な説明】
【０００９】
【図１】通信システムの構成を説明するブロック図。
【図２】実施形態に係るレセプタクルコネクターを説明する斜視図。
【図３】レセプタクルを説明する斜視図。
【図４】フレームを説明する斜視図。
【図５】蓋を説明する斜視図。
【図６】蓋が閉じている状態のレセプタクルコネクターの側面図。
【図７】図６の正面図。
【図８】蓋が開いている状態のレセプタクルコネクターの側面図。
【図９】表示機器の電源モードの制御方法を説明するフローチャート。
【図１０】実施形態に係るレセプタクルコネクターを備えない通信システムの動作の一例を説明するシーケンス図。
【発明を実施するための形態】
【００１０】
以下、図面を参照して本発明の実施形態に係るレセプタクルコネクターを説明する。本実施形態で説明される構成の全てが、本発明の必須構成要件であるとは限らない。本発明の技術的思想は、構成部品の形状、構造、配置等を下記のものに特定するものでない。図面においては同一又は類似の要素には同一又は類似の符号をそれぞれ付して、重複する説明を省略する。図面は模式的であり、実際の寸法及び寸法の相対的比率、配置、構造等と異なる場合が含まれ得る。
【００１１】
なお、以下における上下左右等の方向の定義は、単に説明の便宜上の定義であって、本発明の技術的思想を限定するものでない。例えば、視線方向を軸として観察対象を９０°回転すれば上下は左右に、左右は上下に変換して理解され、１８０°回転すれば上下及び左右はそれぞれ反転して理解されることは勿論である。本発明の技術的思想は、特許請求の範囲に記載された技術的範囲内において、種々の変更を加えることができる。
【００１２】
［通信システム］
図１に示すように、本実施形態に係る第１レセプタクルコネクター１Ａ及び第２レセプタクルコネクター１Ｂのそれぞれは、表示機器１０及び制御機器２０を備える通信システム１００に適用され得る。通信システム１００は、例えば、表示機器１０及び制御機器２０に加えて、表示機器１０及び制御機器２０の間を接続するケーブル４と、ソース機器３０と、制御機器２０及びソース機器３０の間を接続するソースケーブル５とを備える。
【００１３】
ソース機器３０は、例えばＨＤＭＩ（登録商標）規格に準拠する信号、即ちＨＤＭＩ信号を出力する機器である。ソース機器３０として、例えばパーソナルコンピューター、ムービープレイヤー、ゲーム機等が挙げられる。ソースケーブル５は、例えば、ＨＤＭＩ信号用のＨＤＭＩケーブルである。
【００１４】
制御機器２０は、ソース機器３０から入力されたＨＤＭＩ信号に基づいて、ＨＤＢａｓｅＴ（登録商標）規格に準拠するＨＤＢａｓｅＴ信号を生成して表示機器１０に送信するＨＤＢａｓｅＴ送信機である。即ち、表示機器１０及び制御機器２０のそれぞれは、ＨＤＢａｓｅＴ規格に準拠する機器である。制御機器２０は、第２レセプタクルコネクター１Ｂに加えて、入力コネクター２１と、制御部２２と、記憶部２３と、入力部２４とを備える。入力コネクター２１は、ソースケーブル５のプラグが差し込まれるコネクターである。
【００１５】
制御部２２は、例えば中央演算処理装置（ＣＰＵ）等の処理装置や回路部品等を含み得る、１または複数の処理回路からなる。制御部２２は、制御機器２０の動作に必要な演算を処理するコンピューターシステムを構成する。制御部２２は、例えば記憶部２３に記憶された種々のプログラムを実行することにより制御機器２０の各機能を実現する。制御部２２は、例えば、入力コネクター２１から入力されたＨＤＭＩ信号に含まれる画像信号と、機器制御信号とを含むＨＤＢａｓｅＴ信号を生成し、第２レセプタクルコネクター１Ｂに出力する。
【００１６】
記憶部２３は、例えば半導体メモリー等、コンピューターにより読み取り可能な記憶媒体である。記憶部２３は、制御部２２の動作に必要な一連の処理のプログラムや各種データを記憶する。記憶部２３は、不揮発性の補助記憶装置に限るものでなく、ＣＰＵに内蔵されるレジスター等の揮発性の主記憶装置を含み得る。
【００１７】
入力部２４は、ユーザーの入力操作に応じた信号を制御機器２０に出力する。入力部２４としては、例えば、プッシュボタンやタッチセンサー等を採用可能である。
【００１８】
表示機器１０は、例えば、ケーブル４を介して制御機器２０から入力されたＨＤＢａｓｅＴ信号に基づいて画像を画面に表示するプロジェクターである。表示機器１０は、第１レセプタクルコネクター１Ａに加えて、表示装置１１と、処理回路１４と、記憶装置１５と、入力装置１６とを備える。
【００１９】
表示装置１１は、表示素子１２及び光学系１３を備える。表示素子１２は、例えば複数の画素を有する液晶パネル等の光変調素子である。光学系１３は、例えば、光源、レンズやミラー等の光学素子を備える。表示素子１２は、画像信号に基づく処理回路１４による制御に応じて、光学系１３の光源から発せられた光を変調する。表示装置１１は、表示素子１２を経由した光を、光学系１３を用いて画面に投射することにより、制御機器２０に入力された画像信号に対応する画像を画面に表示する。
【００２０】
処理回路１４は、例えばＣＰＵ等の処理装置や回路部品等を含み得る、１または複数の処理回路からなる。処理回路１４は、表示機器１０の動作に必要な演算を処理するコンピューターシステムを構成する。処理回路１４は、例えば記憶装置１５に記憶された種々のプログラムを実行することにより表示機器１０の各機能を実現する。処理回路１４は、例えば、第１レセプタクルコネクター１Ａを介して入力されたＨＤＢａｓｅＴ信号に含まれる画像信号から、表示素子１２を駆動する駆動信号を生成し、表示素子１２に出力する。
【００２１】
記憶装置１５は、例えば半導体メモリー等、コンピューターにより読み取り可能な記憶媒体である。記憶装置１５は、処理回路１４の動作に必要な一連の処理のプログラムや各種データを記憶する。記憶装置１５は、不揮発性の補助記憶装置に限るものでなく、ＣＰＵに内蔵されるレジスター等の揮発性の主記憶装置を含み得る。
【００２２】
入力装置１６は、ユーザーの入力操作に応じた信号を処理回路１４に出力する。入力装置１６としては、例えば、プッシュボタン等の一般的なスイッチの他、タッチパネル、測距センサー等を用いた種々のポインティングデバイスを採用可能である。
【００２３】
例えば、表示機器１０は、互いに異なる消費電力を有する第１モード、第２モード及び第３モードの３種の電源モードを有する。第１モードは、通常の消費電力のモードである。第１モードにおいて処理回路１４は、例えば、画面に画像を表示するために必要な処理を実行する。第２モードは、第１モードより小さく第３モードより大きな消費電力のモードである。第２モードにおいて処理回路１４は、例えば、ＨＤＢａｓｅＴ信号の入力の有無を判定する。第２モードは、ＨＤＢａｓｅＴ信号の入力により第１モードに復帰できる、所謂スタンバイモードである。第３モードは、第２モードより小さく、０より大きな消費電力のモードである。第３モードは、例えば、ＨＤＢａｓｅＴ信号による第１モードへの復帰ができない、所謂ディープスタンバイモードである。
【００２４】
例えば、処理回路１４は、電源が投入されており、画像信号の入力がない場合、第２モードに移行する。処理回路１４は、第２モードにおいて例えば１０分等の所定時間Ｔが経過した場合、第３モードに移行する。これにより、表示機器１０は、消費電力を低減することができる。但し、処理回路１４は、第１レセプタクルコネクター１Ａにケーブル４が接続されている間、第３モードに移行しない。また、処理回路１４は、第３モードの間において、第１レセプタクルコネクター１Ａにケーブル４が接続された場合、第３モードから他のモードに移行する。
【００２５】
制御機器２０は、表示機器１０と同様に、複数の電源モードを有し得る。例えば、制御機器２０は、通常モードと、通常モードより小さい消費電力のスタンバイモードと、スタンバイモードより小さい消費電力のディープスタンバイモードとを有する。この場合、制御部２２は、第２レセプタクルコネクター１Ｂにケーブル４が接続される間、ディープスタンバイモードに移行しない。また例えば、制御部２２は、第３モードの間において、第２レセプタクルコネクター１Ｂにケーブル４が接続された場合、第３モードから他のモードに移行する。
【００２６】
［レセプタクルコネクター］
図２に示すように、本実施形態に係るレセプタクルコネクター１は、ケーブル４のプラグ４１が差し込まれる差込口６１を有するレセプタクル６と、差込口６１を開閉する蓋７と、蓋７の開閉に応じて切り替わるスイッチ８とを備える。図１に示す第１レセプタクルコネクター１Ａ及び第２レセプタクルコネクター１Ｂのそれぞれは、図２に示すレセプタクルコネクター１と同様の構造を有する。以下において、第１レセプタクルコネクター１Ａ及び第２レセプタクルコネクター１Ｂの何れかを単にレセプタクルコネクター１として説明する。
【００２７】
レセプタクルコネクター１は、ＨＤＢａｓｅＴ規格に準拠する。よって、ケーブル４は、ＲＪ４５（８Ｐ８Ｃ）規格に準拠するプラグ４１と、プラグ４１に結線されたカテゴリー５、カテゴリー６又はこれらより上位の規格のツイストペアケーブル４２とから構成された所謂ＬＡＮ（Local Area Network）ケーブルである。
【００２８】
レセプタクルコネクター１は、蓋７が閉じるように蓋７に力を加えるばね７５と、レセプタクル６、蓋７、スイッチ８及びばね７５が取り付けられるフレーム９とを更に備える。プラグ４１が差込口６１に差し込まれない状態において、ばね７５により蓋７は閉じている。一方、プラグ４１が差込口６１に差し込まれるためには、蓋７が開く必要がある。蓋７は、プラグ４１が差込口６１に差し込まれる間、プラグ４１により開いた状態を維持する。
【００２９】
スイッチ８は、フレーム９に固定される本体８１と、蓋７の開閉に応じて動くレバー８２と、一対のスイッチ端子８３と、スイッチ端子８３に接続されるスイッチ配線８４と、スイッチ配線８４に接続されるスイッチコネクター８５とを備える。本体８１は、レバー８２の動きに応じて開放及び短絡する一対の接点（図示省略）を内側に備える。一対のスイッチ端子８３は、本体８１の一対の接点にそれぞれ電気的に接続される。これにより、一対のスイッチ端子８３は、レバー８２の動きに応じて開放及び短絡する。一対のスイッチ端子８３の間には、接点が閉じたときに直列に接続される抵抗を有してもよい。
【００３０】
スイッチ配線８４は、一対のスイッチ端子８３とスイッチコネクター８５との間を接続する２本の導線からなる。例えば、第１レセプタクルコネクター１Ａのスイッチコネクター８５は、処理回路１４に直接的に接続される。一方、第２レセプタクルコネクター１Ｂのスイッチコネクター８５は、制御部２２に直接的に接続される。
【００３１】
図３に示すように、レセプタクル６は、概略として直方体状のハウジング６２と、差込口６１の周縁部に設けられた切欠き部６３と、差込口６１の内側に設けられた８つのジャック側ピン６４と、ジャック側ピン６４にそれぞれ接続された８つのレセプタクル端子６５とを備える。レセプタクル６は、ＨＤＢａｓｅＴ規格に準拠する。即ちレセプタクル６は、ＲＪ４５（８Ｐ８Ｃ）規格に準拠するジャックである。
【００３２】
差込口６１は、ハウジング６２の一面、即ち図３における−Ｘ方向を法線方向とする一面において開口する。切欠き部６３は、例えば、差込口６１の周縁からハウジング６２の底面に亘る領域において、プラグ４１に設けられたラッチに対応するように定義される。８つのレセプタクル端子６５は、ハウジング６２の内部においてジャック側ピン６４にそれぞれ電気的に接続され、ハウジング６２の底面において突出するように設けられる。第１レセプタクルコネクター１Ａのレセプタクル端子６５は、表示機器１０の図示しない回路基板に接合されることにより、処理回路１４に電気的に接続される。第２レセプタクルコネクター１Ｂのレセプタクル端子６５は、制御機器２０の図示しない回路基板に接合されることにより、制御部２２に電気的に接続される。
【００３３】
図４に示すように、フレーム９は、一対の側面部９１，９２と、側面部９１，９２の間を連結する上面部９３とを有する。側面部９１，９２は、図３におけるＹ軸に直交するＸ−Ｚ平面に沿うハウジング６２の２つの側面にそれぞれ対向するように配置される。上面部９３は、側面部９１，９２の各上端に連結される。フレーム９は、差込口６１及びハウジング６２の底面を露出させてレセプタクル６を覆うように配置された状態で、レセプタクル６に相対的に固定される。フレーム９は、差込口６１及びハウジング６２の底面を、開口部９４において連続して露出させる。
【００３４】
上面部９３は、側面部９１，９２の間隔を高さとして有する円柱の側面の一部をなすように、中央部より差込口６１側の領域において、上方に膨らんで湾曲する。側面部９１，９２は、差込口６１側の端部にそれぞれ設けられ、Ｘ軸に直交する平面に沿う一対のフランジ部９５を有する。フランジ部９５は、ねじ、ビス、ボルト等からなる複数の固定具９５１により貫通される。フレーム９は、固定具９５１により、表示機器１０又は制御機器２０の筐体や内部フレーム等に固定され得る。
【００３５】
側面部９１，９２は、蓋７の回転軸として機能する一対の軸部９１１と、回転する蓋７のガイドとして機能する一対のレール部９１２とを有する。なお図４において、側面部９２の軸部９１１及びレール部９１２の図示を省略している。一対の軸部９１１及び一対のレール部９１２は、Ｘ−Ｚ平面に関してそれぞれ互いに鏡像対称性を有し得る。一対の軸部９１１は、側面部９１，９２のそれぞれにおいてＹ軸に沿って設けられた円柱状の突出部である。一方の側面部９１は、ばね７５の一端が固定される第１フック９１３と、スイッチ８が取り付けられる取付部９１６とを有する。
【００３６】
図５に示すように、蓋７は、Ｙ軸に直交する平面に沿う一対の保持板７１と、一対の保持板７１に保持されるシャッター部７２と、スイッチ８のレバー８２に接触する接触部７３とを有する。一対の保持板７１は、一対の軸部９１１がそれぞれ挿入される一対の軸孔７１０を有する。一対の軸孔７１０は、Ｙ軸に沿って配置される。一対の軸孔７１０に一対の軸部９１１が挿入されることにより、蓋７は、フレーム９に取り付けられる。蓋７は、一対の軸部９１１により定義される回転軸の周りに回転することにより、差込口６１を開閉する。
【００３７】
シャッター部７２は、プラグ４１が差し込まれる方向、即ちＸ方向に直交する中心軸を有する円柱の側面に沿って湾曲する表面を有する。具体的には、シャッター部７２の表面に対応する円柱の中心軸は、一対の軸孔７１０により定義される蓋７の回転軸に一致する。このためシャッター部７２は、差込口６１を開閉する際に、高さ、即ちＺ方向における寸法が変化しない。このように、蓋７の表面が、回転軸に一致する中心軸を有する円柱の側面の一部をなすように湾曲することにより、レセプタクルコネクター１は、表示機器１０又は制御機器２０内における占有スペースを低減することができる。なお蓋７の回転軸は、回転軸に沿う方向から見て差込口６１を通り得る。
【００３８】
一対の保持板７１のうち側面部９１に対応する一方の保持板７１は、ばね７５の他端が固定される第２フック７４を有する。第２フック７４は、軸孔７１０に対して、シャッター部７２との連結部分の反対側に位置する。ばね７５は、両端が第１フック９１３及び第２フック７４のそれぞれに掛かることにより、蓋７が閉じる方向に蓋７に力を加える。
【００３９】
図６に示すように、差込口６１にプラグ４１が差し込まれていないとき、蓋７は閉じているため、接触部７３は、レバー８２に接触しない。レバー８２は、接触部７３に接触されない状態において通常位置にある。レバー８２が通常位置にある間において、一対のスイッチ端子８３は開放している。
【００４０】
また、図６及び図７に示すように、差込口６１にプラグ４１が差し込まれていないとき、ばね７５により蓋７は閉じている。蓋７は、保持板７１の端面とフランジ部９５とが互いに接触することにより蓋７の回転が規制された状態において、プラグ４１を差し込む方向から見て差込口６１の一部を露出する。即ち、蓋７の最も閉じた状態は、半開き状態である。これにより、ユーザーは、プラグ４１を使って片手でシャッター部７２を押し開くついでに、そのままプラグ４１を差込口６１に差し込むことができる。
【００４１】
図８に示すように、差込口６１にプラグ４１が差し込まれるとき、蓋７は軸部９１１により定義される回転軸の周りに回転する。これにより接触部７３は、レバー８２を押して通常位置から変位させる。レバー８２が接触部７３に押されている間において、一対のスイッチ端子８３は短絡している。なお、スイッチ８は、プラグ４１が差込口６１に完全に差し込まれた状態を基準として、一対の接点の開閉が切り替わるようにアレンジされている。
【００４２】
図１に示す処理回路１４は、第１レセプタクルコネクター１Ａにケーブル４が接続されているか否かを、スイッチコネクター８５の電位により判定することができる。スイッチコネクター８５は、処理回路１４に接続されることにより信号電位に接続される信号端子と、接地電位に接続される接地端子とを有する。信号端子及び接地端子は、一対のスイッチ端子８３にそれぞれ接続される。信号電位は、プルアップ抵抗により調整された電位であってもよい。プラグ４１が差込口６１に差し込まれると、スイッチ８が閉状態となるため、信号端子の電位が接地電位に変わる。即ち、処理回路１４は、信号端子の電位が接地電位の間、第１レセプタクルコネクター１Ａにケーブル４が接続されていると判定する。このように、処理回路１４は、信号端子の電位を検出することにより、第１レセプタクルコネクター１Ａにケーブル４が接続されているか否か、即ち通信リンクの有無を判定する。
【００４３】
同様に、第２レセプタクルコネクター１Ｂのスイッチコネクター８５は、制御部２２に接続されることにより信号電位に接続される信号端子と、接地電位に接続される接地端子とを有する。制御機器２０の制御部２２は、スイッチコネクター８５の信号端子の電位を検出することにより、第２レセプタクルコネクター１Ｂにケーブル４が接続されているか否かを判定することができる。制御部２２は、信号端子の電位を検出することにより、第２レセプタクルコネクター１Ｂにケーブル４が接続されているか否か、即ち通信リンクの有無を判定することができる。
【００４４】
［電源モードの制御方法］
図９のフローチャートを参照して、本実施形態に係るレセプタクルコネクター１による表示機器１０の電源モードの制御方法の一例を説明する。図９のフローチャートの一連の処理は、例えば所定の周期で繰り返し実行される。
【００４５】
先ず、ステップＳ１において、処理回路１４は、スイッチコネクター８５の信号端子の電位を検出することにより、第１レセプタクルコネクター１Ａにケーブル４が接続されているか否かを判定する。プラグ４１が差込口６１に差し込まれている場合、蓋７が開いているため、接触部７３によりレバー８２が押され、スイッチ８は閉状態となる。このとき、信号端子の電位は接地電位であるため、処理回路１４は、ケーブル４が接続されていると判定し、ステップＳ２に処理を進める。一方、蓋７が閉じているとき、スイッチ８は開状態であるため、信号端子の電位は信号電位である。この場合、処理回路１４は、ケーブル４が接続されていないと判定しステップＳ５に処理を進める。
【００４６】
ステップＳ２において、処理回路１４は、第１レセプタクルコネクター１Ａに接続されたケーブル４に信号があるか否かを判定する。例えば、処理回路１４は、第１レセプタクルコネクター１Ａのレセプタクル６にＨＤＢａｓｅＴ信号が入力されている場合、信号があると判定する。処理回路１４は、第１レセプタクルコネクター１Ａに画像信号がある場合、ステップＳ３に処理を進め、画像信号がない場合、ステップＳ４に処理を進める。
【００４７】
ステップＳ３において、処理回路１４は、第１モードに移行する。これにより、処理回路１４は、第１レセプタクルコネクター１Ａを介して入力されるＨＤＢａｓｅＴ信号に含まれる画像信号を認識し、表示装置１１に画像信号が示す画像を表示させる。処理回路１４は、既に第１モードである場合、第１モードを維持する。
【００４８】
ステップＳ４において、処理回路１４は、第２モードに移行する。これにより、処理回路１４は、表示機器１０が第１モードより小さく、第３モードより大きな消費電力で駆動するように、表示機器１０の各部を制御する。処理回路１４は、既に第２モードである場合、第２モードを維持する。
【００４９】
ステップＳ５において、処理回路１４は、第２モードに移行した時点から所定時間Ｔが経過したか否かを判定する。所定時間Ｔは、例えば１０分間である。処理回路１４は、第２モードに移行してから所定時間Ｔが経過した場合、ステップＳ６に処理を進め、第２モードに移行してから所定時間Ｔが経過していない場合、ステップＳ４に処理を進める。例えば、処理回路１４は、初回のステップＳ５において、未だ第２モードに移行していない場合、ステップＳ４に処理を進める。
【００５０】
ステップＳ６において、処理回路１４は、第３モードに移行する。これにより、処理回路１４は、表示機器１０が第２モードよりも小さな消費電力で駆動するように、表示機器１０の各部を制御する。処理回路１４は、既に第３モードである場合、第３モードを維持する。
【００５１】
ここで、図１０に示すように、第２レセプタクルコネクター１Ｂを備えない点で制御機器２０と異なる制御機器２０Ｐが、第１レセプタクルコネクター１Ａを備えない点で表示機器１０と異なる表示機器１０Ｐに、ＨＤＢａｓｅＴ信号を送信する場合を仮定する。但し、表示機器１０Ｐは、電源が投入された初期状態において、電源が投入されていない制御機器２０に、ケーブル４を介して接続されている。
【００５２】
このとき表示機器１０Ｐは、制御機器２０ＰからＨＤＢａｓｅＴ信号を受信できないため、ステップＳ１１において第２モードに移行する。更に、制御機器２０Ｐの電源が投入されないまま、第２モードに移行してから所定時間Ｔが経過すると、表示機器１０Ｐは、ステップＳ１２において第３モードに移行する。その後、ステップＳ１３において制御機器２０Ｐの電源が投入され、制御機器２０Ｐが起動する。次いで、ステップＳ１４において、制御機器２０Ｐの入力部２４に対するユーザーの操作に応じて、制御部２２は、機器制御信号を含むＨＤＢａｓｅＴ信号を表示機器１０Ｐに送信する。しかしながら、表示機器１０Ｐの処理回路１４は、第３モードにおいてＨＤＢａｓｅＴ信号を認識しないため、制御機器２０Ｐから機器制御信号を含むＨＤＢａｓｅＴ信号を受信したとしても、機器制御信号に応じた動作を行わない。
【００５３】
第１レセプタクルコネクター１Ａを備えない表示機器１０Ｐが、制御機器２０Ｐとの間の通信リンクの有無を判定する方法として、例えば、制御機器２０Ｐとの通信データの有無により判定する方法が挙げられる。しかしながら、例えば制御機器２０Ｐの電源が投入されていなかったり制御機器２０Ｐがディープスタンバイモードであったりする場合、制御機器２０Ｐは、表示機器１０Ｐに対して何のデータも送信しない。よって、表示機器１０Ｐは、第２モードに移行してから所定時間Ｔが経過すると、ＨＤＢａｓｅＴ信号を認識することができない第３モードに移行してしまう。このため、制御機器２０Ｐは、機器制御信号を用いて表示機器１０Ｐを制御することができない。
【００５４】
これに対して、本実施形態に係る第１レセプタクルコネクター１Ａは、蓋７の開閉に応じて切り替わるスイッチ８を備える。表示機器１０は、スイッチ８が処理回路１４に接続されることにより、ＨＤＢａｓｅＴ信号を検出するよりも低い消費電力で、プラグ４１が差込口６１に差し込まれているか否か、即ち通信リンクの有無を簡単に判定することができるようになる。これにより、表示機器１０は、プラグ４１が差込口６１に差し込まれている場合に、表示機器１０との通信リンクが存在すると判定して第３モードに移行しないような動作が可能となる。よって、制御機器２０がケーブル４を介して表示機器１０に接続されている限り、機器制御信号により表示機器１０を制御できない状況を防止することができる。
【００５５】
更に、表示機器１０は、制御機器２０との通信リンクが存在しない場合に限定して、第３モードに移行することにより、通信不能となる状況を低減しつつ、効率的に消費電力を低減することができる。
【００５６】
なお、図９に示すフローチャートは、制御機器２０の制御部２２による処理フローとしても適用可能である。この場合も、制御部２２は、第２レセプタクルコネクター１Ｂのスイッチコネクター８５の信号端子の電位を検出することにより、表示機器１０との通信リンクの有無を判定することができる。これにより、例えば、入力装置１６に対するユーザーの操作に応じて、機器制御信号を含むＨＤＢａｓｅＴ信号を表示機器１０が制御機器２０に送信する場合であっても、制御機器２０を機器制御信号により制御できない状況を防止することができる。
【００５７】
［他の実施形態］
以上のように実施形態を説明したが、本発明はこれらの開示に限定されるものではない。各部の構成は、同様の機能を有する任意の構成に置換されてよく、また、本発明の技術的範囲内において、各実施形態における任意の構成が省略されたり追加されたりしてもよい。このように、これらの開示から当業者には様々な代替の実施形態が明らかになる。
【００５８】
例えば、既に述べた実施形態において、スイッチ８は、蓋７が開いてプラグ４１が差込口６１に差し込まれた状態において、一対のスイッチ端子８３が開放するように構成されてもよい。この場合、蓋７が閉じているとき、スイッチ端子８３は短絡しているため、スイッチコネクター８５の信号端子は接地電位になっている。処理回路１４は、信号端子が信号電位に変化したことに応じて、プラグ４１が差込口６１に差し込まれてケーブル４が接続されたと判定すればよい。
【００５９】
また、レセプタクルコネクター１のばね７５は省略されてもよい。この場合、蓋７は、プラグ４１が差込口６１から抜かれているときに、重力により閉じるような構成を有していてもよい。また、蓋７は、回転により差込口６１を開閉する必要はなく、例えば往復直線運動により差込口６１を開閉してもよい。更に、蓋７は、最も閉じた状態が半開き状態である必要ななく、プラグ６１を差し込む方向から見て、差込口６１又はレセプタクル６を露出しない状態であってもよく、筐体の外部に対して完全に閉じた状態であってもよい。
【００６０】
その他、上述の各構成を相互に応用した構成等、本発明は以上に記載しない様々な実施形態を含むことは勿論である。本発明の技術的範囲は、上記の説明から妥当な特許請求の範囲に係る発明特定事項によってのみ定められるものである。
【００６１】
以下に、上述した実施形態から導き出される内容を記載する。
【００６２】
レセプタクルコネクターは、ＨＤＢａｓｅＴ規格に準拠するレセプタクルコネクターであって、プラグが差し込まれる差込口を有するレセプタクルと、前記差込口を開閉し、前記プラグが前記差込口に差し込まれる間、前記プラグにより開いた状態を維持する蓋と、前記蓋の開閉に応じて切り替わるスイッチとを備える。
【００６３】
この構成によれば、ＨＤＢａｓｅＴ規格に準拠する機器は、レセプタクルコネクターが備えるスイッチの状態を検出することにより、プラグが差込口に差し込まれているか否かを判定することができる。よって、ＨＤＢａｓｅＴ規格に準拠する機器は、通信リンクの有無を簡単に判定することができる。
【００６４】
上記のレセプタクルコネクターは、前記蓋が閉じるように前記蓋に力を加えるばねを更に備えてもよい。
【００６５】
この構成によれば、プラグが差込口から抜かれた場合において確実に蓋を閉じることができる。このため、ＨＤＢａｓｅＴ規格に準拠する機器は、通信リンクの有無の判定する精度を向上することができる。
【００６６】
上記のレセプタクルコネクターにおいて、前記蓋は、前記プラグが差し込まれる方向に直交する中心軸を有する円柱の側面に沿って湾曲する表面を有し、前記中心軸の回りに回転することにより、前記差込口を開閉してもよい。
【００６７】
この構成によれば、蓋が差込口を開閉する際における寸法の変化が低減される。これにより、レセプタクルコネクターは、ＨＤＢａｓｅＴ規格に準拠する機器内における占有スペースを低減することができる。
【００６８】
上記のレセプタクルコネクターにおいて、前記蓋の最も閉じた状態は、半開き状態であってもよい。
【００６９】
この構成によれば、ユーザーは、プラグを使って片手で蓋を押し開くついでに、そのままプラグを差込口に差し込むことができる。よって、レセプタクルコネクターは、ユーザーの負荷を低減することができる。
【符号の説明】
【００７０】
１…レセプタクルコネクター、１Ａ…第１レセプタクルコネクター、１Ｂ…第２レセプタクルコネクター、４…ケーブル、５…ソースケーブル、６…レセプタクル、７…蓋、８…スイッチ、９…フレーム、１０…表示機器、１０Ｐ…表示機器、１１…表示装置、１２…表示素子、１３…光学系、１４…処理回路、１５…記憶装置、１６…入力装置、２０…制御機器、２０Ｐ…制御機器、２１…入力コネクター、２２…制御部、２３…記憶部、２４…入力部、３０…ソース機器、４１…プラグ、４２…ツイストペアケーブル、６１…差込口、６２…ハウジング、６３…切欠き部、６４…ジャック側ピン、６５…レセプタクル端子、７１…保持板、７２…シャッター部、７３…接触部、７４…第２フック、８１…本体、８２…レバー、８３…スイッチ端子、８４…スイッチ配線、８５…スイッチコネクター、９１，９２…側面部、９３…上面部、９４…開口部、９５…フランジ部、１００…通信システム、７１０…軸孔、９１１…軸部、９１２…レール部、９１３…第１フック、９１６…取付部、９５１…固定具。
【図１】
2020095893.tif 000003
【図２】
2020095893.tif 000004
【図３】
2020095893.tif 000005
【図４】
2020095893.tif 000006
【図５】
2020095893.tif 000007
【図６】
2020095893.tif 000008
【図７】
2020095893.tif 000009
【図８】
2020095893.tif 000010
【図９】
2020095893.tif 000011
【図１０】
2020095893.tif 000012